(57)【要約】【課題】  投写型映像表示装置とＰＣとが無線で接続されても、表示したい映像を高速で表示可能な、ユーザの利便性が高いプレゼンテーションシステムを提供する。【解決手段】  本発明は、投写面上に映像光を投写する投写型映像表示装置４０と、無線通信ネットワーク７０を介して通信可能は複数の機器２０、５０とを備えたプレゼンテーションシステムであって、機器は、無線通信ネットワークへ情報を送信可能な通信部６０を備え、通信部は、無線通信ネットワークの伝播環境または無線通信ネットワークへ出力する情報の量に応じて、情報の圧縮率を変化させることを要旨とする。【選択図】図１
2011030075.tif 000002
【特許請求の範囲】
【請求項１】
投写面上に映像光を投写する投写型映像表示装置と、無線通信ネットワークを介して通信可能は複数の機器とを備えたプレゼンテーションシステムであって、
前記機器は、前記無線通信ネットワークへ情報を送信可能な通信部を備え、
前記通信部は、前記無線通信ネットワークの伝播環境または前記無線通信ネットワークへ出力する情報の量に応じて、前記情報の圧縮率を変化させることを特徴とするプレゼンテーションシステム。
【請求項２】
請求項１記載のプレゼンテーションシステムにおいて、
前記通信部は、前記無線通信ネットワークから情報を受信可能であり、
前記機器は、前記無線通信ネットワークから受信した情報に応じて、前記機器への表示をする制御部を備えることを特徴とするプレゼンテーションシステム。
【請求項３】
請求項１記載のプレゼンテーションシステムにおいて、
前記投写型映像表示装置は、
前記無線通信ネットワークから情報を受信可能な通信部と、
前記無線通信ネットワークから受信した情報に応じて、前記投写面へ投写する映像を制御する制御部と、を備えることを特徴とするプレゼンテーションシステム。
【発明の詳細な説明】
【技術分野】
【０００１】
本発明は、パーソナルコンピュータ（以下、ＰＣ）、投写型映像表示装置のような表示装置およびワイヤレス伝送技術を組み合わせたプレゼンテーションシステムに関する。
【背景技術】
【０００２】
近年、教育現場では、ＰＣなどの携帯端末や大型の表示装置が用いられることも多く、このような教育現場では、ＰＣから送信される教材の内容が、例えば、投写型映像表示装置のスクリーンへ表示される。教室内の各生徒は、スクリーンの表示内容を見ながら、先生の話を聞くことで学習を進め、その過程において、随時、自身の考えなどを発言する。
【０００３】
一方、少人数（数人程度）で行われる授業も少なくはないものの、多人数の生徒が机を並べて、授業を受ける状態（例えば、数十人の生徒が二次元配列状に並んだ状態）も多く、各生徒も携帯端末を手に授業を受けるようになると、各生徒が保有する携帯端末と、ＰＣや投写型映像表示装置との接続（配線）が教室内での問題になってくると考えられる。
【０００４】
以上は、教育現場について説明したが、会議などビジネス現場でも同様の問題が発生するものと考えられる。
【特許文献１】特開２００８−２３３３１０号公報
【発明の開示】
【発明が解決しようとする課題】
【０００５】
しかしながら、投写型映像表示装置とＰＣとを無線で接続すると、表示したい映像がきれいに表示されなかったり、タイムラグが生じたりする場合がある。詳細には、無線通信ネットワークを介した通信は、ネットワークの伝播環境や、情報量の大きさによって、大きく影響される。
【０００６】
そこで、本発明は、上述した課題を解決するためになされたものであり、投写型映像表示装置とＰＣとが無線で接続されても、表示したい映像を高速で表示可能な、ユーザの利便性が高いプレゼンテーションシステムを提供することを目的とする。
【課題を解決するための手段】
【０００７】
上述した課題を解決するため、本発明は、次のような特徴を有している。まず、本発明の一の特徴において、プレゼンテーションシステム（プレゼンテーションシステム１０）は、投写面（スクリーン３０）上に映像光（映像光Ｉ）を投写する投写型映像表示装置（投写型映像表示装置４０）と、無線通信ネットワーク（無線通信ネットワーク７０）を介して通信可能は複数の機器（例えば、ＰＣ２０やタブレット５０）とを備える。前記機器は、前記無線通信ネットワークへ情報を送信可能な通信部（通信ユニット６０）を備え、前記通信部は、前記無線通信ネットワークの伝播環境または前記無線通信ネットワークへ出力する情報の量に応じて、前記情報の圧縮率を変化させる。
【０００８】
かかる特徴によれば、各機器は、無線通信ネットワークへ情報を送信可能な通信部を備えている。通信部は、無線通信ネットワークの伝播環境または無線通信ネットワークへ出力する情報の量に応じて、情報の圧縮率を変化させる。したがって、本発明のプレゼンテーションシステムが導入されれば、投写型映像表示装置とＰＣなどの各機器とが無線で接続され、情報の授受が可能となる。さらに、情報量の大きなデータも場合も、高速で情報の授受が行えるので、ユーザの利便性の向上を図ることができる。
【０００９】
上記一の特徴において、前記通信部は、前記無線通信ネットワークから情報を受信可能であり、前記機器は、前記無線通信ネットワークから受信した情報に応じて、前記機器への表示をする制御部（制御ユニット２００）を備える。これにより、各機器では、無線通信ネットワークから受信した情報を、情報の大きさを問わず、高速で表示することができる。
【００１０】
上記一の特徴において、前記投写型映像表示装置は、前記無線通信ネットワークから情報を受信可能な通信部と、前記無線通信ネットワークから受信した情報に応じて、前記投写面へ投写する映像を制御する制御部と、を備える。これにより、投写型映像表示装置は、各機器、特にＰＣからの情報を、情報の大きさを問わず、高速で表示することができる。
【発明の効果】
【００１１】
本発明によれば、投写型映像表示装置とＰＣなどの各機器とが無線で接続され、ユーザの利便性が高いプレゼンテーションシステムを提供することができる。
【図面の簡単な説明】
【００１２】
【図１】第１実施形態に係るプレゼンテーションシステムの構成を示す図である。
【図２】第１実施形態に係るタブレットの構成を示す図である。
【図３】第１実施形態に係る通信ユニットを示すブロック図である。
【図４】第１実施形態に係る圧縮率変更手順を示すフローチャートである。
【図５】第１実施形態に係る制御ユニットを示すブロック図である。
【発明を実施するための最良の形態】
【００１３】
以下において、本発明の実施形態に係るプレゼンテーションシステムについて、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［第１実施形態］
（プレゼンテーションシステムの構成）
以下において、第１実施形態に係るプレゼンテーションシステムの構成について、図面を参照しながら説明する。図１は、第１実施形態に係るプレゼンテーションシステムの構成を示す図である。
【００１６】
図１に示すように、プレゼンテーションシステム１０は、先生Ｔが操作するパーソナルコンピュータ（以下、ＰＣ２０）と、投写面であるスクリーン３０に拡大投写する投写型映像表示装置４０と、複数の生徒Ｓ１〜Ｓ３が操作するタブレット５０−１〜５０−３とを備えている。本実施形態では、教育現場を想定し、先生ＴがＰＣ２０を、生徒Ｓがタブレット５０を操作する前提で説明するが、例えば、会議などの場合であれば、司会者がＰＣ２０を、出席者がタブレット５０を操作してもよい。また、タブレット５０に代えて、全員がＰＣ２０を操作してもよく、逆に、全員がタブレット５０を操作してもよい。
【００１７】
ＰＣ２０は、画像等を表示する表示部２１と、投写型映像表示装置４０及びＰＣ２０を操作する操作部２２とを備える。なお、詳細は後述するが、ＰＣ２０は、図示しない通信ユニット６０が内蔵されており、通信ユニット６０を介して、無線通信ネットワーク７０と接続されている。
【００１８】
スクリーン３０は、投写型映像表示装置４０からの映像光を反射する。投写型映像表示装置４０からスクリーン３０に投写された映像光Ｉの領域は、映像光Ｉによって構成される映像内３１と定義される。スクリーン３０は、上部に投写型映像表示装置４０を備える。
【００１９】
投写型映像表示装置４０は、スクリーン３０の上部に設けられる。投写型映像表示装置４０は、図示しない通信ユニット６０が内蔵されており、通信ユニット６０を介して、無線通信ネットワーク７０と接続されている。
【００２０】
投写型映像表示装置４０は、図示しない白色光を発する光源と、可視光を透過して非可視光（視外光）を遮光するＵＶ／ＩＲカットフィルタと、光を均一化するフライアイレンズユニットと、光の偏光状態を揃えるＰＢＳアレイと、可視光（赤成分光、緑成分光及び青成分光）を変調する液晶パネル（例えば、赤成分光用液晶パネル、緑成分光用液晶パネル及び青成分光用液晶パネル）と、液晶パネルから出射された光を合成するクロスダイクロイックプリズムとを備えている。投写型映像表示装置４０は、投写レンズ群と非球面の凹面ミラーとによって、スクリーン３０の上部からの、極めて焦点距離の短い投写を可能にしている。
【００２１】
タブレット５０は、図２に示すように、画像等を表示すると共に、他の機器の操作や回答の記入が可能なタッチパネル部５１と、タッチパネル部５１に表示させる画像の切り替えやメニューの選択を行う複数の操作ボタン５２、５３、５４と、タッチパネル部５１への入力操作を行う操作ペン５５とを備える。また、タブレット５０は、図示しない通信ユニット６０が内蔵されており、通信ユニット６０を介して、無線通信ネットワーク７０と接続されている。
【００２２】
（無線通信ネットワークの構成）
次に、第１実施形態に係る無線通信ネットワーク（例えば、ＩＥＥＥ  ８０２．１１ｎなどの無線ＬＡＮ）７０について、図面を参照しながら説明する。本実施の形態では、各機器（ＰＣ２０、投写型映像表示装置４０およびタブレット５０）間での情報の授受は、通信ユニット６０及び無線通信ネットワーク７０を介して行われる。以下では、無線通信ネットワーク６０に最も負荷がかかる思われる動画像データの伝送を前提に説明する。
【００２３】
一般的に、無線通信ネットワーク７０でデータ送信を行うと、伝播環境によりその伝送速度が変動するため、所定の期間内に所定のデータ量を送信することができない場合がある。したがって、通信ユニット６０においては、フレーム期間内に、１フレーム分の符号化データを送信できたかを確認し、送信できなかった場合は圧縮符号の圧縮率を高くする設定を行う。これにより、伝播環境に適した圧縮率で動画像の圧縮符号化処理を行うことが可能となり、リアルタイム性の高い動画像を確実に送信できる。
【００２４】
ここで、「フレーム」とは動画像データを構成する１枚ごとの画面単位であり、Ｍｏｔｉｏｎ  ＪＰＥＧ圧縮方式は、この画面単位でフレーム内圧縮処理を行う。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）のようなインターレース方式の動画像データでは、フィールドが相当する。また、ＶＧＡ（Ｖｉｄｅｏ  Ｇｒａｐｈｉｃｓ  Ａｒｒａｙ）のようなノンインターレース方式の動画像データでは、フレームが相当する。
【００２５】
また、「フレーム期間」とは、時間軸上に配置されたフレーム間の時間間隔をいう。上述のＮＴＳＣの場合は約１６．６ｍｓであり、ＶＧＡの場合は約３３．３ｍｓである。
【００２６】
図３は、本発明の実施の形態１における通信ユニット６０の構成を示す概念図である。通信ユニット６０は、送信部１００と、圧縮部１０１と、記録部１０２と、制御部１０３と、受信部１０４と、解凍部１０５とを含む。
【００２７】
図３において、送信部１００は、無線通信ネットワーク７０に接続され、送信すべき情報を無線通信ネットワーク７０のデータフォーマットに変換して、無線通信ネットワーク７０に出力する。また、送信タイミングを調整するため、圧縮部１０１からの出力をバッファリングする送信バッファを含む。
【００２８】
送信部１００は、圧縮部１０１から出力される符号化データが所定の送信単位に達すると（例えば、１５００バイト）、送信バッファから符号化データを読み出し、データフォーマットの変換を行い、無線通信ネットワーク７０に送信する。
【００２９】
圧縮部１０１は、外部から入力される動画像データに対して、Ｍｏｔｉｏｎ  ＪＰＥＧ圧縮方式による圧縮符号化処理を行う。Ｍｏｔｉｏｎ  ＪＰＥＧ圧縮方式は、静止画像の圧縮方式であるＪＰＥＧ圧縮方式を動画像に適用したものであり、動画像データのフレーム単位でＪＰＥＧ圧縮処理を行う。
【００３０】
圧縮部１０１は、離散コサイン変換（ＤＣＴ：  Ｄｉｓｃｒｅｔｅ  Ｃｏｓｉｎｅ  Ｔｒａｎｓｆｏｒｍ）、量子化、ハフマン符号化などの処理を行ったのち、その圧縮率やシーケンシャル方法であるかプログレッシブ方法であるかの識別情報などを含むヘッダ情報を、圧縮処理を施した動画像データに付加し、Ｍｏｔｉｏｎ  ＪＰＥＧ圧縮方式の符号化データを生成する。そして、所定の出力単位（例えば、マクロブロック単位または無線パケットのペイロード長単位）の符号化データを生成するごとに、送信部１００へ出力する。
【００３１】
圧縮部１０１は、後述するコンフィグファイルに含まれる設定パラメータに従い、圧縮処理における圧縮率の変更を行う。圧縮率の変更は、例えば、量子化ステップを変更することで行う。
【００３２】
記録部１０２は、圧縮部１０１の圧縮率を変更するための設定パラメータなどを含むコンフィグファイルを記録している。なお、コンフィグファイルは、圧縮率が低い設定（すなわち、高品質の圧縮）から圧縮率が高い設定（すなわち、低品質の圧縮）まで、幅広い圧縮率を設定できるよう、複数用意するのが好ましい。
【００３３】
制御部１０３は、通信ユニット６０全体のタイミングの制御等を行う。また、制御部１０３は、動画像データのフレーム開始タイミング、例えば、動画像データの垂直同期信号（Ｖｓｙｎｃ：  １１９５１２５４０７５４６＿０）の立ち上がりエッジで、タイミングカウンタを初期化する。タイミングカウンタ値により、動画像データのフレーム開始タイミングから１フレーム期間を経過したこと、すなわち、フレーム終了タイミングに達したことを知ると、制御部１０３は、送信バッファにおける符号化データの残量を確認する。
【００３４】
十分な伝送速度が確保できないと、動画像データのフレーム開始タイミングから１フレーム期間内に、処理対象であるフレームの圧縮符号化処理を行い、圧縮符号化したフレームの符号化データを送信しきれないことがある。
【００３５】
１フレーム期間内に、処理対象となるフレームの符号化データを送信しきれない状態が継続すると、送信バッファにオーバフローが生じ、動画像データのリアルタイムな送信ができなくなる。
【００３６】
そこで、制御部１０３は、図示しない撮像装置（例えば、カメラ）から入力された、動画像データのフレーム開始タイミングから１フレーム期間内に、処理対象であるフレームの符号化データが送信できたのかを、送信バッファの残量により判断する。
【００３７】
符号化データの残量が確認された場合（つまり、フレーム期間内に１フレーム分の符号化データを送信できなかった場合）、圧縮部１０１における圧縮率が、伝送速度に対して低すぎると判断し、制御部１０３は、圧縮部１０１の圧縮率を高くする。このため、制御部１０３は、記録部１０２から現在の圧縮率より高い圧縮率を設定するコンフィグファイルを読出し、このコンフィグファイルに含まれる設定パラメータにもとづき、圧縮部１０１の圧縮率を高く設定する。圧縮率を高く設定する場合、現在の圧縮率より１段階高い圧縮率に設定してもよく、最高の圧縮率に設定してもよい。
【００３８】
１段階高い圧縮率に設定する場合は、符号化データの品質の劣化を抑えつつ、伝播環境に適した動画像データの送信が実現できる。最高の圧縮率に設定した場合は、圧縮率の頻繁な変更が抑制され、ロバストに動画像データを送信することができる。
【００３９】
圧縮部１０１で符号化データを生成する場合、高品質な動画像データを送信したければ、符号化データ量を多くするのが好ましいが、あまり符号化データ量を多くすると、伝播環境によっては十分な伝送速度が確保できないため圧縮率の変更が頻繁に生じ、動画像データのロバストな送信が困難となる。
【００４０】
そこで、制御部１０３は、高品質な動画像データをロバストに送信するため、符号化データの残量が確認されなかった場合（つまり、フレーム期間内に１フレーム分の符号化データを送信できた場合）、符号化データ量が所定の範囲に収まるように圧縮率の設定を行う。
【００４１】
制御部１０３は、符号化データ量の上限に関するしきい値（以下、第１のしきい値）と、符号化データ量の下限に関するしきい値（以下、第２のしきい値）を記憶している。ここで、第１のしきい値は第２のしきい値より大きく、例えば、第１のしきい値が４８Ｋバイトのとき、第２のしきい値は４０Ｋバイトの値となる。これらのしきい値は、実験（例えば、様々の動画像データに対して圧縮率を変更し、生成した符号化データの画質を主観的評価するなど）により求める。さらに、これらしきい値は、動画像データの方式（例えば、上述のＮＴＳＣやＶＧＡ）ごとに異なる値を用意してもよい。
【００４２】
制御部１０３は、圧縮部１０１が生成した１フレーム分の符号化データを送信部１００の送信バッファに格納する際、そのデータ量を測定する。
【００４３】
制御部１０３は、フレーム期間内に１フレーム分の符号化データが送信された場合、測定したデータ量を第１のしきい値と比較する。測定したデータ量が第１のしきい値より大きければ、現在の圧縮率は低すぎると判断し、制御部１０３は、圧縮部１０１の圧縮率を高くする。圧縮部１０１の圧縮率を高くする設定については、フレーム期間内に１フレーム分の符号化データを送信できなかった場合の圧縮率の設定と同様に行う。
【００４４】
また、制御部１０３は、フレーム期間内に１フレーム分の符号化データが送信された場合、測定したデータ量を第２のしきい値と比較する。測定したデータ量が第２のしきい値より小さければ、現在の圧縮率は高すぎると判断し、制御部１０３は、圧縮部１０１の圧縮率を低くする。このため、制御部１０３は、記録部１０２から現在の圧縮率より低い圧縮率を設定するコンフィグファイルを読出し、このコンフィグファイルに含まれる設定パラメータにもとづき、圧縮部１０１の圧縮率を低く設定する。圧縮率を低く設定する場合、現在の圧縮率より１段階低い圧縮率に設定してもよく、最低の圧縮率に設定してもよい。
【００４５】
１段階低い圧縮率に設定する場合は、符号化データの品質の劣化を抑えつつ、伝播環境に適した動画像データの送信が実現できる。最低の圧縮率に設定した場合は、高品質な動画像データを送信することができる。
【００４６】
なお、圧縮率を変更するタイミングは、圧縮部１０１が１フレーム分の符号化データを生成するタイミング、つまりフレーム周期で行ってもよく、制御部１０３がフレーム期間内に１フレーム分の符号化データを送信できないと判断したタイミングで行ってもよい。フレーム周期で圧縮率を変更すれば、圧縮符号化処理に対する負担が少なくなる。制御部１０３が送信できないと判断したタイミングで圧縮率を変更すれば、伝送速度の変化に対する圧縮符号化処理の追従性が向上するため、より伝播環境に適した動画像データの送信が実現できる。
【００４７】
図４は、圧縮率変更手順を示すフローチャートである。制御部１０３は、送信部１００の送信バッファの残量を検出し、フレーム期間内に１フレーム分の符号化データが送信できたか否かを確認する（Ｓ１００）。１フレーム分の符号化データが送信できた場合（Ｓ１００のＹ）、制御部１０３は、１フレーム分の符号化データ量が第１のしきい値以上か否かを確認する（Ｓ１０１）。
【００４８】
１フレーム分の符号化データ量が第１のしきい値より小さかった場合（Ｓ１０１のＮ）、制御部１０３は、１フレーム分の符号化データ量が第２のしきい値以下か否かを確認する（Ｓ１０２）。１フレーム分の符号化データ量が第２のしきい値以下であった場合（Ｓ１０２のＹ）、制御部１０３は、圧縮部１０１の圧縮率が最低の圧縮率であるか否かを確認する（Ｓ１０３）。圧縮率が最低でなかった場合（Ｓ１０３のＮ）、制御部１０３は、対応するコンフィグファイルを記録部１０２から読出し、そのコンフィグファイルにもとづき、圧縮部１０１の圧縮率を低くする設定を実行したのち、処理を終了する（Ｓ１０４）。
【００４９】
１フレーム分の符号化データが送信できなかった場合（Ｓ１００のＮ）あるいは１フレーム分の符号化データ量が第１のしきい値以上であった場合（Ｓ１０１のＹ）、制御部１０３は、圧縮部１０１の圧縮率が最高の圧縮率であるか否かを確認する（Ｓ１０５）。
【００５０】
圧縮率が最高でなかった場合（Ｓ１０５のＮ）、制御部１０３は、対応するコンフィグファイルを記録部１０２から読出し、そのコンフィグファイルにもとづき、圧縮部１０１の圧縮率を高くする設定を実行したのち、処理を終了する（Ｓ１０６）。１フレーム分の符号化データ量が第２のしきい値以下でない場合（Ｓ１０２のＮ）、あるいは圧縮率が最低である場合（Ｓ１０３のＹ）、圧縮率が最高であった場合（Ｓ１０５のＹ）、処理は終了される。
【００５１】
かかる構成によれば、第１のしきい値以上であれば、圧縮部１０１の圧縮率を高くする設定を行い、第２のしきい値以下であれば、圧縮部１０１の圧縮率を低くする設定を行う。このため、伝播環境に適した圧縮率で動画像の圧縮符号化処理を行うことが可能となり、ロバストかつ高品質にリアルタイムな動画像を送信することが可能となる。
【００５２】
図３に戻り、無線通信ネットワーク７０からの情報の受信について説明する。まず、受信部１０４は、無線通信ネットワーク７０に接続され、無線通信ネットワーク７０から入力すべき情報を受信する。受信部１０４は、無線通信ネットワーク７０から受信した情報が所定の入力単位に達すると、解凍部１０５に出力する。
【００５３】
解凍部１０５は、受信部１０４から入力された符号化データに対して、解凍処理を行う。解凍部１０５は、解凍処理した動画像データを所定の入力単位ごとに、各機器（ＰＣ２０、投写型映像表示装置４０およびタブレット５０）へ出力する。
【００５４】
これら構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５５】
（制御ユニットの構成）
次に、第１実施形態に係る制御ユニットの構成について、図面を参照しながら説明する。図５は、第１実施形態に係る制御ユニットを示すブロック図である。
【００５６】
図５に示すように、制御ユニット２００は、各機器（ＰＣ２０、投写型映像表示装置４０およびタブレット５０）に設けられている。ここでは、例えば、ＰＣ２０に設けられているケースについて説明する。制御ユニット２００は、具体的には、制御ユニット２００は、情報選択部２０１と、基本映像生成部２０２と、映像制御部２０３とを備えている。
【００５７】
情報選択部２０１は、通信ユニット６０から出力された情報のうち必要な情報や外部から入力された映像情報（映像入力信号）を、例えば、ユーザの指示などによって選択する。情報選択部２０１において選択された情報は、基本画像生成部２０２へ出力される。ＰＣ２０から出力された動画像データと共に、タブレット５０への表示指示信号が添付されている場合、タブレット５０の情報選択部２０１では、ユーザの指示より表示指示信号が優先され、ＰＣ２０から出力された動画像データが基本画像生成部２０２へ出力される。
【００５８】
基本映像生成部２０２は、情報選択部２０１から出力された情報、または、外部から入力された映像入力信号に基づいて、基本映像を生成する。具体的には、基本映像生成部２０２は、ＰＣ２０が表示部２１に表示する映像、投写型映像表示装置４０がスクリーン３０上に投写する映像、および、タブレット５０がタッチパネル５１に表示する映像を構成する基本映像を生成する。
【００５９】
映像制御部２０３は、基本映像生成部２０２から出力された映像信号に応じて、各機器に搭載された表示部、具体的には、液晶パネルなどを制御する。
【００６０】
以上の構成により、スクリーン３０へ各生徒Ｓがタブレット５０に記載した情報を、投写型映像表示装置４０からスクリーン３０へ投写することが可能となる。ここで、制御ユニット２００は、ＰＣ２０に設けられていているものとして説明したが、これに限定されるものではなく、例えば、投写型映像表示装置４０に設けられていてもよく、各タブレット５０に設けられていてもよい。
【００６１】
（作用・効果）
第１実施形態では、通信ユニット６０は、伝播環境や情報量に応じて、圧縮率と伝送速度を切り替える。制御ユニット２００は、無線通信ネットワーク７０からの入力情報を選択する。これにより、伝播環境に適した圧縮率で情報（特に、動画像データ）の圧縮符号化処理を行うことが可能となり、リアルタイム性の高い情報を確実に送信できる。また、教室内の配線が不要となり、各機器の配置の自由度が高くなる。加えて、各生徒の回答、作品、意見などを容易にスクリーンに表示することができ、活発な授業を行うことが可能となる。
【００６２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６３】
具体的には、投写型映像表示装置４０に、スクリーン３０上の投写映像を撮像する撮像装置を備えてもよい。これにより、授業の内容を撮像することができ、本発明の無線通信ネットワーク７０を介して、遠隔地の生徒にも授業の動画像データを高速で送信することができる。
【００６４】
また、タブレット５０には、撮像装置を備えてもよい。これにより、タッチパネル５１に記載した内容以外にも、各生徒が観察したものや作製した作品などを映像化し、発表することが可能となる。もちろん、ＰＣ２０に撮像装置が接続されてもよく、撮像装置自体が通信ユニットを備えていてもよい。タブレット５０には、タッチパネル、操作ボタン、タッチペンおよび撮像装置を備えたゲーム機器を利用することで、本発明のプレゼンテーションシステムは、より実現可能なものになるだろう。
【００６５】
さらに、タブレット５０には、データ記憶手段を備え、学校側から各家庭への連絡手段の役割を果たしてもよい。ペーパレス化を図ることができるほか、成績表などもタブレット５０を介して各家庭へ配布されれば、各生徒の成績の推移などの分析も容易になる。
【００６６】
無線通信ネットワーク７０には、実施の形態で説明した機器に加え、ｉＶＤＲなどのデータ保存装置も接続されてもよい。授業の内容や、各生徒が撮影した映像をデジタルアーカイブ化することができる。
【００６７】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【符号の説明】
【００６８】
１０…プレゼンテーションシステム、２０…ＰＣ、２１…表示部、２２…操作部、３０…スクリーン、３１…映像内、４０…投写型映像表示装置、５０…タブレット、５１…タッチパネル、５２〜５４…操作ボタン、５５…タッチペン、６０…通信ユニット、７０…無線通信ネットワーク、１００…送信部、１０１…圧縮部、１０２…記録部、１０３…制御部、１０４…受信部、１０５…解凍部、２００…制御ユニット、２０１…情報選択部、２０２…基本映像生成部、２０３…映像制御部
【図１】
2011030075.tif 000003
【図２】
2011030075.tif 000004
【図３】
2011030075.tif 000005
【図４】
2011030075.tif 000006
【図５】
2011030075.tif 000007